(57)【要約】      （修正有）【課題】一度利用者情報を登録することで同じ利用者情報を入力する手間を省略してオンラインサービスに利用者情報を登録する利用者情報代理登録システムを提供する。【解決手段】サービス利用者の利用者情報を格納する利用者情報記憶部と、利用者情報記憶部の利用者情報を操作端末１０２へ転送する記憶制御処理部を備えた携帯端末１０３を有し、利用者情報代理登録サーバ１０１は、操作端末１０２から送信された代理登録要求及び利用者情報を受信する送受信処理部と、代理登録要求を処理する代理登録要求処理部と、操作端末１０２に対して利用者情報記憶部からの利用者情報の読み込みを依頼する利用者情報読み込み処理部と、操作端末１０２から受信した利用者情報を元に、オンラインサービス提供システム１０５へ利用者情報を通知するためのデータを作成し、作成したデータを操作端末１０２に送信依頼する利用者情報通知処理部と、を有する。【選択図】図１
2013077273.tif 000002
【特許請求の範囲】
【請求項１】
サービス利用者の利用者情報登録操作を受付ける操作端末からの利用者情報の登録申請に応じて、利用者情報代理登録サーバがオンラインサービス提供システムへのオンライン情報の代理登録を行う利用者情報代理登録サーバを有する利用者情報代理登録システムであって、
サービス利用者の利用者情報を格納する利用者情報記憶部と、前記利用者情報記憶部の利用者情報を前記操作端末へ転送する記憶制御処理部を備えた携帯端末を有し、
前記利用者情報代理登録サーバは、
前記操作端末から送信された代理登録要求及び利用者情報を受信する送受信処理部と、
前記代理登録要求を処理する代理登録要求処理部と、
前記操作端末に対して前記利用者情報記憶部からの利用者情報の読み込みを依頼する利用者情報読み込み処理部と、
前記操作端末から受信した利用者情報を元に、前記オンラインサービス提供システムへ利用者情報を通知するためのデータを作成し、作成したデータを前記操作端末に送信依頼する利用者情報通知処理部と、
を有することを特徴とする利用者情報代理登録システム。
【請求項２】
前記携帯端末は、
前記利用者情報記憶部からの利用者情報を、非接触の情報送信機能を用いて、前記操作端末に送信することを特徴とする請求項１に記載の利用者情報代理登録システム。
【請求項３】
サービス利用者の利用者情報登録操作を受付ける操作端末からの利用者情報の登録申請に応じて、利用者情報代理登録サーバがオンラインサービス提供システムへのオンライン情報の代理登録を行う利用者情報代理登録サーバを有する利用者情報代理登録システムによる利用者情報代理登録方法であって、
前記操作端末からの代理登録要求に応じて、前記利用者情報代理登録サーバが、前記操作端末への利用者情報読み込み依頼を行うステップと、
前記利用者情報代理登録サーバからの読み込み依頼を受信した前記操作端末が、前記携帯端末内に記憶された利用者情報を読み込むステップと、
前記利用者情報代理登録サーバが、前記操作端末から利用者情報を受信するステップと、
前記利用者情報代理登録サーバが、前記操作端末から受信した利用者情報を元に、前記オンラインサービス提供システムへ利用者情報を通知するためのデータを作成し、作成したデータを前記操作端末に送信依頼するステップと、
前記操作端末が、送信依頼されたデータを前記オンラインサービス提供システムへ送信し、利用者情報を通知するステップと
を有することを特徴とする利用者情報代理登録方法。
【請求項４】
前記利用者情報代理登録サーバからの読み込み依頼を受信した前記操作端末が、前記携帯端末内に記憶された利用者情報を読み込むステップは、
前記携帯端末内に記憶された利用者情報を、非接触の情報送信機能を用いて、前記操作端末に送信するステップを含むことを特徴とする請求項３に記載の利用者情報代理登録方法。
【発明の詳細な説明】
【技術分野】
【０００１】
本発明は、利用者情報代理登録システムに関し、より詳細には、オンラインサービスを利用する上で必要な利用者情報の登録を容易にするシステムに関し、特に、利用者が日常的に携帯しながら利用する携帯端末を用いた利用者情報登録システムに関する。
【背景技術】
【０００２】
現在、多くのWebサイトで、オンラインサービスが提供されている。オンラインサービスには、例えば、ネットワーク上の相手方ユーザとのオンラインゲームでの対戦の申し込みや、資格取得講座やその他の講座の申し込み、商品購入のためのオンラインサービス等様々なサービスがあるため、複数のオンラインサービスを利用することが多くなってきている。複数のオンラインサービスを利用する利用者は、Webサイトごとに利用者情報の登録が必要となり、登録に伴う手続の負担の増大が大きくなる。
【０００３】
下記特許文献１に記載のインターネットインターフェースシステムは、利用者情報の登録が必要なWebサイトに対する入力を、登録代行サイトを利用して行うものである。登録代行サイトでは、氏名や住所、電話番号など、複数のWebサイトが共通に必要とする情報や、職場の連絡先や家族構成などの各Webサイトで個別に必要とする情報を保持する。
【０００４】
利用者は登録代行サイトに対するログインのみを行えば、その後は登録代行サイトを利用して、未登録のWebサイトへの自動的な利用者情報の登録を行わせることが可能である。
【先行技術文献】
【特許文献】
【０００５】
【特許文献１】特表２００３−５０３７６７号公報
【発明の概要】
【発明が解決しようとする課題】
【０００６】
ところで、オンラインサービス利用者がサービス利用時に入力する利用者情報は、氏名、住所、電話番号など、変更頻度が少ない情報であるにも関わらず、オンラインサービス毎にそれぞれ登録を行う必要がある。また、クラウドコンピューティングの普及に伴い、利用者情報を必要とするオンラインサービスも増加の一途を辿っているが、それぞれのサービス独自の方法で利用者情報を取得している。また、インターネット対応テレビに代表される、インターネット接続可能な機器の多様化に伴い、オンラインサービスを利用する際に使用するクライアント端末は、パーソナルコンピュータ（PC）に限られなくなった。
【０００７】
例えば、操作端末は、必ずしも、ある利用者が、同じ端末を用いるわけではなく、例えば、店舗に設置されたオンラインサービスには、例えば、ネットワーク上の相手方ユーザとのオンラインゲームでの対戦の申し込みや、資格取得講座やその他の講座の申し込み、商品購入のためのオンラインサービス用の専用端末等が用いられ、利用者は移動しながら、適宜、そのような操作端末を利用するケースが多い。
【０００８】
本発明は、このような実情に鑑みて、多様な操作端末に対応可能な利用者情報代理登録技術を提供することを目的とする。
【課題を解決するための手段】
【０００９】
本発明は、利用者情報の代理登録を行うシステムであって、サービス利用者の準備操作を受付、サービス利用者の情報をICチップに登録する機能を備えた携帯端末と、サービス利用者の利用者情報登録操作を受付、ICチップの読み書き機能を備えた操作端末と、前記操作端末から送信された代理登録要求を受け付ける送受信処理部と、代理登録要求を処理する代理登録要求処理部と、前記操作端末に対してICチップから利用者情報読み込みを依頼する利用者情報読み込み処理部と、前記利用者情報読み込み処理部からICチップ読み込み依頼を前記操作端末に送信する送受信部と、前記操作端末から利用者情報を受信する送受信部と、利用者情報をオンラインサービス提供システムに通知する利用者情報通知処理部と、を備えた利用者情報代理登録サーバを含んだ利用者情報代理登録システムを提供するものである。
【００１０】
また、前記携帯端末は、サービス利用者登録に必要な氏名、住所、電話番号などの利用者情報を、準備アプリケーションを介してICチップに登録することを特徴とする。
【００１１】
より具体的には、本発明の一観点によれば、サービス利用者の利用者情報登録操作を受付ける操作端末からの利用者情報の登録申請に応じて、利用者情報代理登録サーバがオンラインサービス提供システムへのオンライン情報の代理登録を行う利用者情報代理登録サーバを有する利用者情報代理登録システムであって、サービス利用者の利用者情報を格納する利用者情報記憶部と、前記利用者情報記憶部の利用者情報を前記操作端末へ転送する記憶制御処理部を備えた携帯端末を有し、前記利用者情報代理登録サーバは、前記操作端末から送信された代理登録要求及び利用者情報を受信する送受信処理部と、前記代理登録要求を処理する代理登録要求処理部と、前記操作端末に対して前記利用者情報記憶部からの利用者情報の読み込みを依頼する利用者情報読み込み処理部と、前記操作端末から受信した利用者情報を元に、前記オンラインサービス提供システムへ利用者情報を通知するためのデータを作成し、作成したデータを前記操作端末に送信依頼する利用者情報通知処理部と、を有することを特徴とする利用者情報代理登録システムが提供される。
【００１２】
前記携帯端末は、前記利用者情報記憶部からの利用者情報を、非接触の情報送信機能を用いて、前記操作端末に送信することが好ましい。
【００１３】
本発明の他の観点によれば、サービス利用者の利用者情報登録操作を受付ける操作端末からの利用者情報の登録申請に応じて、利用者情報代理登録サーバがオンラインサービス提供システムへのオンライン情報の代理登録を行う利用者情報代理登録サーバを有する利用者情報代理登録システムによる利用者情報代理登録方法であって、前記操作端末からの代理登録要求に応じて、前記利用者情報代理登録サーバが、前記操作端末への利用者情報読み込み依頼を行うステップと、前記利用者情報代理登録サーバからの読み込み依頼を受信した前記操作端末が、前記携帯端末内に記憶された利用者情報を読み込むステップと、前記利用者情報代理登録サーバが、前記操作端末から利用者情報を受信するステップと、前記利用者情報代理登録サーバが、受信した利用者情報を元に、前記オンラインサービス提供システムへ利用者情報を通知するためのデータを作成し、作成したデータを前記操作端末に送信依頼するステップと、前記操作端末が、送信依頼されたデータを前記オンラインサービス提供システムへ送信し、利用者情報を通知するステップと、を有することを特徴とする利用者情報代理登録方法が提供される。
【００１４】
前記利用者情報代理登録サーバからの読み込み依頼を受信した前記操作端末が、前記携帯端末内に記憶された利用者情報を読み込むステップは、前記携帯端末内に記憶された利用者情報を、非接触の情報送信機能を用いて、前記操作端末に送信するステップを含むことが好ましい。
【００１５】
上記によれば、一度利用者情報を登録することで同じ利用者情報を入力する手間を省略してオンラインサービスに利用者情報を登録でき、かつ、利用者情報を必要とするオンラインサービスが導入しやすい。
【発明の効果】
【００１６】
本発明の利用者情報代理登録システムによれば、一度、携帯端末のICチップ等に利用者情報の登録を行えば、オンラインサービスに登録する利用者情報を操作端末において何度も入力する手間を省略することができる。これによって、利用者は自ら保持する携帯端末等に個人情報を登録するだけで、既存の多種多様な操作端末を利用して、オンラインサービスに登録することが可能となる。
【００１７】
また、利用者情報を読み込むサーバが、オンラインサービス提供システムと切り離されることで、オンラインサービス提供システム側での導入初期コストを抑制することができ、幅広い展開が望める。
【００１８】
また、ICチップ等の記憶媒体内に利用者情報を登録することで、多様なクライアント端末で利用することが可能である。
【図面の簡単な説明】
【００１９】
【図１】本発明の一実施形態にかかる利用者情報代理登録システムについて、その全体構成例を示す概略図である。
【図２Ａ】図１に示す利用者情報代理登録サーバ１０１の内部構成例を概略的に示す機能ブロック図である。
【図２Ｂ】図１に示す操作端末１０２の内部構成例を概略的に示す機能ブロック図である。
【図３】図１に示す携帯端末１０３の機器構成例を概略的に示す図である。
【図４】図１に示す携帯端末１０３の内部構成例を概略的に示す機能ブロック図である。
【図５】図１に示す携帯端末１０３の利用者情報に関する操作選択時に表示される画面の表示例を示す図である。
【図６】図１に示す携帯端末１０３の利用者情報参照時に表示される画面の表示例を示す図である。
【図７】図１に示す携帯端末１０３の利用者情報登録時に表示される画面の表示例を示す図である。
【図８】図１に示す携帯端末１０３の利用者情報に対する操作終了時に表示される画面の表示例を示す図である。
【図９】図１に示す携帯端末１０３の利用者情報参照・登録時の処理の流れを示すフローチャート図である。
【図１０】図１に示す携帯端末１０３のICチップ３０３内のデータ構造例を示す図である。
【図１１】図１に示すオンラインサービス提供システム１０５の利用者情報登録要求時に表示される画面の表示例を示す図である。
【図１２】図１に示すオンラインサービス提供システム１０５の利用者情報代理登録要求時の処理の流れを示すフローチャート図である。
【発明を実施するための形態】
【００２０】
上記解決課題に鑑みて鋭意研究の結果、発明者は、ＰＣだけでなくテレビジョン受信装置や店舗等に設置された専用端末においても、データの読み込みに対応している記憶媒体（ICチップ等）を利用し、サービス利用者が保持しているICチップ内蔵又は外付けの携帯端末内に、利用者情報を一度登録することで、オンラインサービスが個人情報を必要とする際にはICチップ内の利用者情報を読み込み、その情報をオンラインサービス提供システムに通知することで、利用者情報の登録を行うことができることに想到した。
【００２１】
携帯端末とは、例えば、小型（携帯型）パーソナルコンピュータ、携帯電話、スマートフォンなどが含まれる。
【００２２】
以下、添付図面を参照しながら、本発明の一実施の形態による利用者情報代理登録システムについて詳細に説明する。
図１から図１２までは、本発明の一実施形態よる利用者情報代理登録システムの具体例を示す図であり、これらの図において、同一の符号を付した場合には、同一の構成であっても良く、基本的な構成及び動作は同様であるものとする。
【００２３】
[１]  利用者情報登録システムの全体構成
図１は、本発明の一実施形態にかかる利用者情報代理登録システムの、全体構成例を示すシステム概略図である。
【００２４】
図１において、本実施形態の利用者情報代理登録システム１は、利用者情報代理登録サーバ１０１と、オンラインサービス利用者が操作する操作端末１０２と、操作端末に接続するICチップ処理装置１０４と、オンラインサービス利用者が保持する携帯端末１０３と、オンラインサービス提供システム１０５と、を含んでいる。利用者情報代理登録サーバ１０１と、オンラインサービス利用者が操作する操作端末１０２と、オンラインサービス提供システム１０５とは、回線網ＮＴによって接続される。
【００２５】
操作端末１０２は、利用者情報の登録申請を行う。利用者情報代理登録サーバ１０１に対して、利用者情報登録の代理要求を送信する。利用者情報代理登録サーバ１０１は、操作端末１０２から利用者情報代理要求を受信すると、利用者情報代理登録サーバ１０１は、操作端末１０２に対して、携帯端末１０３のICチップから利用者情報を読込む要求を送信する。
【００２６】
利用者によって、携帯端末１０３が、ICチップ処理装置１０４にかざされる等によりICチップ処理装置１０４が利用者情報を読み込むと、操作端末１０２が利用者情報代理登録サーバ１０１に対して読み込んだ利用者情報を送信する。利用者情報代理登録サーバ１０１は操作端末１０２から利用者情報を受信すると、オンラインサービス提供システム１０５に対して利用者情報を通知するよう、操作端末１０２に対して依頼を行う。操作端末１０２は、オンラインサービス提供システム１０５に対して、利用者情報を送信する。
【００２７】
これにより、携帯端末１０３からの登録情報を、操作端末１０２における操作毎に、オンラインサービス提供システム１０５に送信することができる。
【００２８】
[２]  利用者情報代理登録サーバと操作端末の構成
図２Ａは、図１に示す利用者情報代理登録サーバ１０１の内部構成例を概略的に示す機能ブロック図である。
【００２９】
図２Ａに示すように、利用者情報代理登録サーバ１０１は、操作端末１０２からの代理登録要求を処理する代理登録要求処理部２０１と、操作端末１０２に対して携帯端末１０３のICチップからの利用者情報読み込みを依頼する利用者情報読み込み処理部２０４と、読み込んだ利用者情報のオンラインサービス提供システム１０５への通知を操作端末１０２に依頼する利用者情報通知処理部２０２と、操作端末１０２から送信される代理登録要求の受付け及び操作端末１０２との間で利用者情報を送受信する送受信処理部２０３と、を含んでいる。
【００３０】
利用者情報代理登録サーバ１０１は、オンラインサービス提供システム１０５へ、利用者情報を通知するため、携帯端末１０３から利用者情報を一時的に読み込むが、オンラインサービス提供システム１０５への利用者情報通知（の完了）に伴い、利用者情報代理登録サーバ１０１では利用者情報を破棄するように構成されている。
【００３１】
これにより、利用者情報代理登録サーバ１０１は、利用者情報の一時的な格納と、利用者情報の仲介を行うのみであるため、記憶容量を少なくすることができる。
【００３２】
図２Ｂは、図１に示す操作端末１０２の一構成例を示す図である。図２Ｂに示すように、操作端末１０２は、データ等の送受信を行う通信インターフェース部２１１と、データ等の入力を行う入力部２１２と、携帯端末１０３に格納されている利用者情報を読みとるＩＣチップ読み取り部２１３と、を有している。
【００３３】
[３]  携帯端末の構成
図３は、携帯端末１０３の機器構成例を概略的に示す図である。図３において、携帯端末１０３は、画面表示を行う液晶ディスプレイなどの表示画面３０１と、携帯端末の利用者の入力操作を受け付けるキーボードやタッチパネルなどの入力部３０２と、データを読み書き可能なICチップ３０３と、を含んでいる。ICチップ３０３は、例えば、具体的には、非接触の情報送信機能（例えば、登録商標Ｆｅｌｉｃａなど）を利用することができる。或いは、ＩＣカードを用いても良い。
【００３４】
図４は、携帯端末１０３の内部構成例を概略的に示す機能ブロック図である。
図４において、携帯端末１０３は、画面に表示する内容を制御する画面表示処理部４０１と、携帯端末１０３の利用者がクライアントアプリケーションを起動する準備受付処理部４０２と、ICチップに対して利用者情報を登録するための利用者情報登録処理部４０５及び、ICチップに書き込まれている利用者情報を参照するための利用者情報参照処理部４０４を保持するクライアントアプリケーション格納部４０３と、クライアントアプリケーション格納部からの要求に応じて、ICチップに読み書きを行うICチップ制御処理部４０６（記憶制御処理部）と、読み込んだ利用者情報を格納する利用者データ格納部４０７を含むＩＣチップ３０３と、を含んでいる。
【００３５】
[４]  利用者情報登録時の動作
次に、図５、図６、図７、図８、図９及び図１０を参照しながら、本実施形態の利用者情報代理登録システム１の、携帯端末１０３の利用者情報を参照する動作及び、携帯端末１０３に利用者情報を登録する動作について説明する。
【００３６】
図５は、携帯端末１０３の利用者情報に関する操作選択時に表示する画面を示す図である。画面３０１には、利用者情報の操作に関して選択を促すメッセージ５０１と、利用者情報の参照、利用者情報の登録、終了のいずれかの動作を行わせるためのボタン５０２〜５０４までと、が表示され、例えば、携帯端末１０３の入力部３０２により選択を行う。ボタンによる動作を選択した後に、クライアントアプリケーション格納部４０３のクライアントアプリケーションからの応答を待つ。
【００３７】
図６は、携帯端末１０３において、利用者情報参照時に表示される画面３０１の例を示す図である。
参照ボタン５０２が押されると、表示画面３０１には、登録済みの利用者情報であることを明示する文言と、登録済みの利用者情報の内容として、氏名、氏名（読み）、郵便番号、住所、電話番号、性別、メールアドレスを、参照項目６０１と、内容６０２とを対比させる形式で表示する。
【００３８】
図７は、携帯端末１０３において、利用者情報登録時に表示される画面３０１の例を示す図である。
登録ボタン５０３が押されると、表示画面３０１には、氏名、氏名（読み）、郵便番号、住所、電話番号、性別、メールアドレスの入力を促す文言と、氏名、氏名（読み）、郵便番号、住所、電話番号、性別、メールアドレスの空欄の項目７０１毎の入力欄７０２と、利用者情報の登録を行うボタン７０３と、を表示し、携帯端末１０３の入力部分により入力及び登録を行う。登録後、クライアントアプリケーション格納部４０３のクライアントアプリケーションからの応答を待つ。
【００３９】
図８は、携帯端末１０３において、利用者情報に対する操作終了時に表示される画面３０１を示す図である。
終了ボタン５０４が押されると、表示画面３０１には、アプリケーションの起動を終了する旨の文言８０１が表示され、また、確認ボタン８０２が表示される。
【００４０】
図９は、携帯端末１０３における、利用者情報に対する操作時の処理の流れを示すフローチャート図である。
まず、処理が開始されると（ステップＳ９０１：開始）、携帯端末１０３が、利用者情報の操作内容の選択を図５に示す表示等で促す（ステップＳ９０２）。選択された操作内容が参照処理の実行であるかを判断し（ステップＳ９０３）、参照処理の実行であった場合には（Ｙ）、ICチップから利用者情報を読み込み（ステップＳ９０４）、利用者情報を表示画面３０１に表示させ（ステップＳ９０５：図６）、処理を終了する（Ｓ９０６）。ステップＳ９０３において、登録（Ｎ）である場合には、選択された操作内容が登録処理の実行であるかを判断し（ステップＳ９０７）、登録処理の実行である場合（Ｙ）、ＩＣチップから利用者情報を読み出し（ステップＳ９０８）、ステップＳ９０９で、登録用利用者情報メニュー（図７）を表示させる。ここで、利用者情報の入力を促し、入力された利用者情報をICチップに登録し（ステップＳ９１０）、処理を終了する（ステップＳ９０６）。ステップＳ９０７でＮの場合には、処理を終了する（ステップＳ９０６）。
【００４１】
図１０は携帯端末１０３に内蔵されているICチップ３０３内のデータ構造例を示す図である。
利用者情報データは、姓１００２、名１００３、姓（よみ）１００４、名（よみ）１００５、郵便番号１００６、住所１００７、電話番号１００８、性別１００９、電子メールアドレス１０１０といった、オンラインサービス利用に当たり必要となる利用者情報の組み合わせである。
【００４２】
[５]  利用者情報代理登録時の動作
次に、図１１及び図１２を参照しながら、前述した本実施形態の利用者情報代理登録システムの、利用者情報代理登録サーバ１０１が、携帯端末１０３内の利用者情報を読み込み、オンラインサービス提供システム１０５へ、利用者情報を代理登録する動作について説明する。
【００４３】
図１１は、オンラインサービス提供システムが、利用者に対して、利用者情報の入力を促す際に表示する表示画面３０１を例示した図である。この表示画面３０１には、利用者情報代理登録サーバ１０１への代理登録要求を行う携帯端末利用者登録ボタン１１０４が含まれている。
【００４４】
さらに、取り扱いの説明１１０１、情報入力欄１１０２、登録ボタン１１０３を有している。
本サービスを利用する場合、情報入力欄１１０２に情報を入力し、「登録」ボタン１１０３を押下する。携帯端末を利用して登録を行う場合、携帯端末をICカード装置にかざして、「携帯端末利用者登録」ボタン１１０４を押下する。
【００４５】
図１２は、携帯端末利用者登録ボタン１１０１を押下した後の、利用者情報代理登録サーバ１０１、操作端末１０２の処理の流れを示すフローチャート図である。
処理が開始され（ステップＳ１２０１）、携帯端末利用者登録ボタン１１０４の押下により、利用者情報代理登録サーバ１０１の送受信処理部２０３及び代理登録要求処理部２０１は、操作端末１０２からの代理登録要求を受信して処理し（ステップＳ１２０２）、利用者情報読み込み処理部２０４は、操作端末１０２への利用者情報読み込み依頼を行う（ステップＳ１２０３）。
【００４６】
利用者情報代理登録サーバ１０１からの読み込み依頼を受信した操作端末１０２は、携帯端末１０３内ICチップから利用者情報を読み込み（ステップＳ１２０４）、利用者情報代理登録サーバ１０１は、操作端末１０２から利用者情報を受信し（ステップＳ１２０５）、読み込んだ利用者情報を、利用者情報代理登録サーバ１０１へ送信する（ステップＳ１２０６）。
【００４７】
利用者情報代理登録サーバ１０１の利用者情報通知処理部２０２は、受信した利用者情報を元に、オンラインサービス提供システム１０５へ利用者情報を通知するための電文を作成し（ステップＳ１２０７）、操作端末１０２へ作成した電文の送信を依頼する（ステップＳ１２０８）。操作端末１０２は、依頼された電文をオンラインサービス提供システム１０５へ送信し、利用者情報を通知する（ステップＳ１２０９）ことで、処理は終了する（ステップＳ１２１０）。
【００４８】
このように、本実施の形態による利用者情報代理登録システムによれば、一度、携帯端末のICチップ等に利用者情報の登録を行えば、オンラインサービスに登録する利用者情報を操作端末において何度も入力する手間を省略することができる。
【００４９】
また、利用者情報を読み込むサーバが、オンラインサービス提供システムと切り離されることで、オンラインサービス提供システム側での導入初期コストを抑制することができ、幅広い展開が望める。
【００５０】
また、ICチップ内に利用者情報を登録することで、多様なクライアント端末で利用することが可能である。
【００５１】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００５２】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【産業上の利用可能性】
【００５３】
本発明は、利用者情報代理登録システムに利用可能である。
【符号の説明】
【００５４】
１０１  利用者情報代理登録サーバ
１０２  操作端末
１０３  携帯端末
１０４  ICチップ処理装置
１０５  オンラインサービス提供システム
２０１  代理登録要求処理部
２０２  利用者情報通知処理部
２０３  送受信処理部
２０４  利用者情報読み込み処理部
３０１  表示画面
３０２  入力部
３０３  ICチップ
４０１  画面表示処理部
４０２  準備受付処理部
４０３  クライアントアプリケーション格納部
４０４  利用者情報参照処理部
４０５  利用者情報登録処理部
４０６  ICチップ制御処理部
４０７  利用者データ格納部
１００１  利用者情報データ
１００２  姓
１００３  名
１００４  姓（よみ）
１００５  名（よみ）
１００６  郵便番号
１００７  住所
１００８  電話番号
１００９  性別
１０１０  電子メールアドレス
１１０１  メッセージ
１１０２  入力欄
１１０３  登録ボタン
１１０４  携帯端末利用者登録ボタン
【図１】
2013077273.tif 000003
【図２Ａ】
2013077273.tif 000004
【図２Ｂ】
2013077273.tif 000005
【図３】
2013077273.tif 000006
【図４】
2013077273.tif 000007
【図５】
2013077273.tif 000008
【図６】
2013077273.tif 000009
【図７】
2013077273.tif 000010
【図８】
2013077273.tif 000011
【図９】
2013077273.tif 000012
【図１０】
2013077273.tif 000013
【図１１】
2013077273.tif 000014
【図１２】
2013077273.tif 000015